(57)【要約】【課題】履物を履いて足踏みをしたり、歩き回りをしたりすることによって土踏まずなどの足の裏のツボを刺激する突起を、下からと上からとの体重以上の押圧力を得られるようにすること。【解決手段】履物の着地面２より突出している移動体３が着地させることによって上に動き、その移動体３の上側に設けている押し棒５が基台１に設けている孔６から基台上面７より上に突出するものとし、その押し棒５の先端部８をツボ押しの突起とする。他の手段としては、基台１を上と下とに分離して基台上部１６と着地部１７とにし、その爪先側を蝶番１８で結合して基台上部１６と着地部１７との間を引き離すスプリング１９を設け、基台上部１６に押し棒５が貫通する孔６を設けて押し棒５の頭部２１を基台上面７より上に突出させる。【選択図】　　　　　図１
2004097723.tif 000002
【特許請求の範囲】
【請求項１】
履物で足を載せるところの基台（１）の下側に上下に動く移動体（３）を設け、その移動体（３）の上側には押し棒（５）を設けて押し棒（５）の先端部（８）が基台（１）に設けた孔（６）から基台上面（７）より突出する押し棒（５）として形成し、その移動体（３）の下端部（４）を履物の着地面（２）より下に突出させたことを特徴とする履物。
【請求項２】
履物で足を載せるところの基台（１）を上下の基台上部（１６）と着地部（１７）とに分離し、その基台上部（１６）と着地部（１７）との前後の何方かの一端側を蝶番（１８）によって結合し、スプリング（１９）によって蝶番（１８）とは反対側の基台上部（１６）と着地部（１７）との間を引き離し、その基台上部（１６）には少なくとも一個の孔（６）を設け、その孔（６）に貫通しながら着地部（１７）に当接して基台上面（７）より突出する頭部（２１）を持つ押し棒（５）を設けたことを特徴とする履物。
【発明の詳細な説明】
【０００１】
【発明の属する技術分野】
この発明は、足踏みをしたり、歩き回わりをしたりすることによって、土踏まずなどの足の裏のツボを刺激する履物に関するものである。
【０００２】
【従来の技術】
従来、土踏まずや足の裏のツボを刺激する履物としては、足の裏と接する基台上面に突起を固着した実開平１−１０８１０１の健康下駄があった。
また、基台上面に突起を設け、その履物の着地面に突出部を設けた特開平１０−８５００４もあったが、いずれもその突起の上に体重を載せることによる重力によって、刺激を与えるものであった。
【０００３】
【発明が解決しようとする課題】
従来の突起を設けた履物は、足の裏が接する基台上面に突起を固着したものであって、その突起の上に載せる体重が足の裏のツボを押す押圧力の強さとなるもので、その体重以上の押圧力を得ることが出来ない欠点があった。
【０００４】
【課題を解決するための手段】
本発明は、履物の基台１に足を載せて着地したときに、履物の着地面２より突出していた移動体３の下端部４が上に動くことによって、移動体３は上に動くものとしている。
この移動体３が上に動くと、移動体３の上側に設けている押し棒５は、基台１に設けている孔６から基台上面７より上に、突起となる押し棒５の先端部８を突出させるものとしている。
履物の着地面２より突出する移動体３とは別の手段が考えられる。それは、基台１を上下の基台上部１６と着地部１７とに分離し、その基台上部１６と着地部１７との爪先側を蝶番１８によって結合させた状態にし、踵側の基台上部１６と着地部１７との間を引き離すスプリング１９を設けたものである。
この履物に足を載せて着地したときには体重によってスプリング１９を押すことになり、基台上部１６を着地部１７に近ずけることによって基台上部１６に設けた孔６に貫通する押し棒５の先端部８を基台上面７より突出させる手段が考えられるものである。
このように、押し棒５の下から上に押し上げる力と、体重による上からの重力とによる二つの力が先端部８に作用して、足の裏のツボを刺激する押圧力を強いものになるものである。
【０００５】
【発明の実施の形態】
本発明に係わる実施の形態の一つとしては、図１に示すように、下駄の前歯９と後歯１０との間に板状の移動体３を設けたものとしている。
この移動体３は、その前後端を前歯９と後歯１０との向かい合う位置に設けた受け溝１１に挿着して上下に動き、その下端部４を前後歯９，１０の着地面２より下に突出状態としている。
そして、移動体３の上側に設けている押し棒５は、基台１に載せた足の土踏まずやツボとなる位置に設けた孔６に貫通状態としていて、下端部４が床面に着いたり離れたりして移動体３を上下に動かすときには、押し棒５の先端部８が基台上面７から出たり引っ込んだりするものとしている。
移動体３と押し棒５との動きを円滑にする手段としては、押し棒５に巻きつくコイルバネ１２や受け溝１１の上部に移動体３を下に押すコイルバネ１３を設けることが考えられる。
【０００６】
受け溝１１は、前後歯９，１０の内側面に突出状態としているが、前後歯９，１０の内部に設けたり、前後に切り抜けた切り溝にすることが考えられる。
移動体３の上側に設けている押し棒５は、複数設けることが出来るものであって、その長さはツボの位置と足裏の凹み具合とによって長い短いを調節し、その複数の押し棒５が貫通する孔６を基台１に設けて複数のツボを刺激することが出来るものとすることが考えられる。
押し棒５に巻きつくコイルバネ１２をなくして移動体３から切り離して移動体３の上に載置状態にすることが出来る。この切り離した押し棒５は、別の孔６に移し変えることが出来るものとなり、ツボを選ぶことができる。
移動体３は、一枚だへけでなく複数枚にすることや、複数枚をまとめて一つにした移動体３として形成することが考えられる。
押し棒５の先端部８の形状は、半球体や三角錐など色々な形状が考えられるものであり、更に、先端部８には小さい突起を複数設けたり磁石やトルマリンなどの特殊な物体を設けたりすることが出来るものである。
【０００７】
本発明に係わる下駄を履いて歩くと、地面や床面に着地したときに体重が下駄に掛かり、両歯９，１０の着地面２と下端部４とが同じ位置に動いて移動体３が上に押し上げられ、基台１の孔６から押し棒５の先端部８が飛び出して足の裏にあるツボを刺激するものとしている。
この飛び出した先端部８には、体重の重力と下からの押し上げる力とが作用して、固着している突起による押圧力の刺激よりも強いものとなる。
着地している足を持ち上げると、地面から下端部４が離れ、移動体３はコイルバネ１２とコイルバネ１３との力が働いて下に動き、押し棒５の先端部８は基台上面７から下になってツボへの刺激が解除される。
【０００８】
押し棒５の先端部８を横に移動させたものが考えられるもので、図３に示すように、押し棒５の先から連結部１４を設けてその連結部１４の一端に突起部１５を設ける形式のものが考えられる。
このような押し棒５の先端部８を飛び出させたり引き下げたりする繰り返しによって、足の裏のツボ押し効果を発揮するものであるから、このツボ押し効果は歩くだけでなくその場での足踏みによっても変わることなく発揮出来るものであり、椅子に座った状態で床を鳴らすように強く叩くことで、叩きの刺激を得ることが出来るものでもある。
【０００９】
下駄以外の草履や靴などにも押し棒５を上下に動かす手段が考えられるもので、その手段としては、図４に示すものがある。
図４のものでは、草履２０の基台１を上下の基台上部１６と着地部１７とに分離し、その基台上部１６と着地部１７との爪先側を蝶番１８によって連結している。　そして、基台上部１６と着地部１７との踵側の間を引き離すつる巻き状のスプリング１９を設け、基台上部１６の土踏まずのツボに対応する位置に孔６を設けていて押し棒５が挿入されている。
この押し棒５は、頭部２１を基台上面７より上に出た状態としていて、その足元２２が着地部１７に当接するものとしている。
したがって、この頭部２１のある押し棒５は、基台上部１６に設けている孔６から抜いたり差し込んだりすることが出来るものである。
足の裏の様々なツボに対応する孔６を複数設け、押し棒５もそれなりの複数設けることが出来るものであり、その高さも位置によって異なるものとなることは当然である。
【００１０】
この草履を使用するときには、踵側に体重を載せるとスプリング１９が縮み基台上部１６が下に下がって押し棒５の頭部２１が基台上面７より突起することになり、体重の重力と下からの押し上げる力とが作用して足の裏のツボを強く刺激するものである。
踵側に設けたスプリング１９は様々なばねを利用することが出来るもので、板ばねを二つ折りにしたくの字状のばねを爪先側に設けたものとすることが出来るものである。
図４に示すものは、基台上部１６と着地部１７との間から押し棒５が見えるものとなっているが、この草履の側面を布やレザーなどで覆うことで普通の草履とその外観を同じものとして見せることが出来るものである。
【００１１】
履物の基台１を上下の基台上部１６と着地部１７に分離して爪先側を蝶番１８によって連結するものの他に、踵側の端側を蝶番１８によって連結することが考えられる。
この踵側に蝶番１８を設けた履物の押し棒５の先端部８は、足の指先と付け根との間に突出するものとして形成することが出来るものである。
この足の指先と付け根との間に突出する先端部８は、複数の先端部８とすることの他に、指先と付け根との間に連続して嵌合する湾曲状の円柱を横に倒した状態の湾曲先端部２３とすることが出来るものであり、この湾曲先端部２３はかまぼこ形にすることも出来る。
図５に示すものは、下駄においても湾曲先端部２３を取り付けることが可能であることを示すものである。
【００１２】
【発明の効果】
本発明に係わる履物を使用するときには、歩いたり足踏みをしたり、椅子に腰掛けて床を鳴らしたりするだけで、上からの重力と下からの押し上げとの力が押圧力となって、足の裏のツボを強く刺激することが出来るものであるからツボ押し効果を優れたものにすることができる。
【図面の簡単な説明】
【図１】本発明に係わる履物の縦断面図である。
【図２】本発明に係わる履物を着地させた状態を示す側面図である。
【図３】押し棒の先端部を横に移動させた状態を示す斜視図である。
【図４】草履に押し棒を設けた手段を示す側面図である。
【図５】下駄に湾曲先端部を設けた状態を示す斜視図である。
【符号の説明】
１　基台
２　着地面
３　移動体
４　下端部
５　押し棒
６　孔
７　基台上面
８　先端部
９　前歯
１０　後歯
１１　受け溝
１２　コイルバネ
１３　コイルバネ
１４　連結部
１５　突起部
１６　基台上部
１７　着地部
１８　蝶番
１９　スプリング
２０　草履
２１　頭部
２２　足元
２３　湾曲先端部
【図１】
2004097723.tif 000003
【図２】
2004097723.tif 000004
【図３】
2004097723.tif 000005
【図４】
2004097723.tif 000006
【図５】
2004097723.tif 000007